Podtech/llm-jp-corpus-v4-ja_patent huggingface dataset:
(57)【要約】【課題】人形、動物人形、植物人形において柄を変化させたり動画を放映したり出来るものを作る。【解決手段】人形、動物人形、植物人形にフレキシブルで薄いディスプレイを取り付け、柄を変化させたり、動画を放映する。【選択図】図１
2011011020.tif 000002
【特許請求の範囲】
【請求項１】
人形、動物人形、植物人形の表面に静止画や動画を放映出来るフレキシブルで薄いディスプレイを取り付け、内部にそのディスプレイを制御する諸機器を収納していることを特徴とする人形、動物人形、植物人形。
【発明の詳細な説明】
【技術分野】
【０００１】フレキシブルなディスプレイを取り付けることによって、絵柄を変えたり、動画を表示させたりすることが出来る人形、動物人形、植物人形に関するものである。
【背景技術】
【０００２】静止画や動画を表示するディスプレイを、薄くしかも屈曲させることが出来る技術が開発された。
【発明の開示】
【発明が解決しようとする課題】
【０００３】人形、動物人形、植物人形の表面の柄を任意の静止画像、動画に出来るものを作る。
【課題を解決するための手段】
【０００４】人形、動物人形、植物人形の表面にフレキシブルなディスプレイを取り付け、内部にディスプレイを制御する諸電子機器を収納する。
【発明の効果】
【０００５】人形、動物人形、植物人形の魅力、面白さが格段に高くなる。たとえば同一のこけしの着物の模様や色を変化させることが出来る。企業等のマスコット人形に取り付ければ当該企業のコマーシャルを放映することが出来るようになり広告媒体としても利用出来る。
【発明を実施するための最良の形態】
【０００６】人形の図面〔１〕を例にとって形態を説明する。
人形表面にフレキシブルなディスプレイ１を取り付け人形内部２にディスプレイを制御する小型電子機器類を収納する。
【産業上の利用可能性】
【０００７】斬新な表現性をもった人形、動物人形、植物人形として商品価値が高まると同時に企業等のコマーシャルを放映出来るようになり、新型の広告媒体となる。
【図面の簡単な説明】
【０００８】
【図１】実施形態及び構成要素を示した図である。
【図１】
2011011020.tif 000003
(57)【要約】      （修正有）【課題】ブラシが柔らかくても上手にブラッシングが可能だと思わせて、気持ちを新たに歯磨きしその通りを実現させる歯ブラシの提供。【解決手段】歯ブラシの柄Ａが全長方向に対し９０度回転した形を持たせて新たな気持ちを起こさせ柄を軽く握るように誘導し、さらに首部Ｂがしなやかに曲がるようにして、使用時に手からの圧力がその部分で逃げるようにし最適な歯磨き圧を提供する。その結果、歯ブラシの重さが市販品に比べ（ホテルなどの業務用は除く）１５％以上軽くなった。適正に歯磨きできる期間、が２〜３倍延びた（数ヶ月）。当然歯が、つるつるになった。と言う結果が確認された。今話題の環境にも、歯ブラシの使用期間が延びる、材料の量が減る等で、貢献する歯ブラシである。【選択図】図１
2011011014.tif 000002
【特許請求の範囲】
【請求項１】
図１において、歯ブラシ各部の名称を便宜上、ブラシ部（Ａ）、首部（Ｂ）、柄部（Ｃ）とする。
（Ｃ）柄の断面において、ブラシ（Ａ）の植毛方向に平行な厚さを、直角方向より２０％以上薄く成型し、更に歯ブラシ全体で（ブラシ部を含む）幅（Ｆ）を９．５ｍｍ以下にした歯ブラシ。
【発明の詳細な説明】
【技術分野】
【０００１】この発明は、歯ブラシの柄に関する発明である。
【背景技術】
【０００２】従来歯磨きは、ゴシゴシと音を立てるが如く磨くのが一般的である。
専門家により、磨き圧力のかけ過ぎを言われて久しいが、その解決は個々に任されているのが現状である。
【発明の概要】
【発明が解決しようとする課題】
【０００３】歯磨き時においての過大な圧力は、歯茎を痛める、ブラシが変形する、磨き残しが発生する、早期に買い換える等さまざまな弊害があった。
そのため、今までに無かった外観の歯ブラシの開発をし、今からまったく違う次元の歯ブラシを使うという自覚をもたせる。
歯磨き時に、自ずと適正な圧力で磨ける構造を持たせる。
適正な圧力を、個々に合わせて調整できる。
上記を課題とし、それを解決することとした。
【課題を解決するための手段】
【０００４】柄において、デザインは製造者も消費者も関心が高く非常に多様で素晴らしいものが多い。  しかし柄に構造的な特徴を持たせて、歯磨き精度の向上を目指した製品は非常に少なかった。
本発明はその柄に着目し、力強く握ることを直させるため柄の部分（Ａ）を９０度回転させ、今迄の癖に対し使用の覚醒を求めた。【０００５】歯ブラシの首部（Ｂ）を、しなやかに曲がるように細くして、使用時に手からの圧力がその部分で逃げるようにした。
【発明の効果】
【０００６】歯磨き時においての過大な圧力が減り、歯茎を痛める、ブラシが変形する、磨き残しが発生する等さまざまな弊害が大きく取り除かれた。
【図面の簡単な説明】
【０００７】
【図１】  本発明の請求項１の平面図である。
【図２】  本発明の請求項１の正面図である。
【図３】  本発明の請求項１の各部の断面図である。倍率は２倍。Ａ  ブラシ部  Ｂ  首  Ｃ  柄  Ｄ  首の断面図  Ｅ  柄の一断面図
【発明を実施するための形態】
【０００８】  以下、本発明を実施するための最良の形態について述べる。
材質は、歯ブラシのブラシを除いた本体を飽和ポリエステル樹脂成型とする。  全長は、１６０ｍｍ〜１８０ｍｍと一般的な大きさとし、うち首部は全長５０〜６０ｍｍと長く取り断面形状は直径３ｍｍの円とする。
柄の断面において、ブラシの植毛方向に平行な厚さを、直角方向より薄く成型（普通の歯ブラシと逆）とする。
使用時、飽和ウレタン成型の首部分はしなやかに曲がり軽く押し当てて磨くと１００ｇ圧、かなり強く押し当てても３００ｇ圧を超えることはない。そのため歯科医の推奨するブラッシング圧が自然に獲得できる。
【図１】
2011011014.tif 000003
【図２】
2011011014.tif 000004
【図３】
2011011014.tif 000005
(57)【要約】【課題】火災時等は、一酸化炭素や、ガス等が、不完全燃焼により発生するが、無色、無臭のため、発生しても気が付きにくく、また、血液中のヘモグロビンと非常に結びつきやすいことから、少量を吸入しても血液の酸素運搬能力が著しく損なわれ、酸素欠乏状態で最悪の場合には死に至ることもある。  本発明は、火災等で発生する一酸化炭素やガス類応急的に防ぐためにネクタイをマスクに使用するものである。【解決手段】ネクタイの芯として使用されている中生地を不繊布の生地で作成し、中生地の一部をマスク部として、マスク部の両端に耳かけを設置する。火災時、非常時は、ネクタイ裏面を覆っている生地を開いたら、そのままネクタイを口に当てる。【選択図】図１
2011011015.tif 000002
【特許請求の範囲】
【請求項１】
ネクタイの芯として使用されている中生地を不繊布の生地で作成し、中生地の一部をマスク部として使用する防災ネクタイ。
【発明の詳細な説明】
【技術分野】
【０００１】  本発明は、火災時通常着用しているネクタイを火災時や非常時にマスクとして使用する為の防災ネクタイに関するものである。
【背景技術】
【０００２】  従来、火災等で発生する煙を吸引しないよう、ハンカチ、タオル等で口に当てて防ぐが、非常時のためにハンカチ、タオル等を常備することを習慣づけている人間は少ない。
【発明の概要】
【発明が解決しようとする課題】
【０００３】  火災時等は、一酸化炭素や、ガス等が、不完全燃焼により発生するが、無色、無臭のため、発生しても気が付きにくく、また、血液中のヘモグロビンと非常に結びつきやすいことから、少量を吸入しても血液の酸素運搬能力が著しく損なわれ、酸素欠乏状態で最悪の場合には死に至ることもある。
本発明は、火災等で発生する一酸化炭素やガス類応急的に防ぐためにネクタイをマスクに使用するものである。
【課題を解決する為の手段】
【０００４】  ネクタイの芯として使用されている中生地を不繊布の生地で作成し、中生地の一部をマスク部のとして、マスク部の両端に耳かけを設置する。火災時、非常時は、ネクタイ裏面を覆っている生地を開いたら、そのままネクタイを口に当てる。
以上の構成よりなる防災ネクタイ。
【発明の効果】
【０００５】  本発明のネクタイを着用していれば、火災等の非常時でもネクタイを外し、ネクタイの中生地を口元に当て、マスクとして使用できることで、火災時死亡要因の一酸化中毒による事故や死亡を防ぐことができる。
【図面の簡単な説明】
【０００６】
【図１】本発明の使用状態を示す斜視図
【図２】本発明の斜視図
【図３】本発明の正面からの着用を示す斜視図
【図４】本発明の側面からの着用を示す斜視図
【発明を実施するための形態】
【０００７】  以下、本発明の実施の形態を説明する。
（イ）ネクタイ（１）は、ネクタイ表生地の内側にネクタイの芯となる中生地（２）を設け、ネクタイ表生地の両側にあるネクタイ裏生地（３）が中生地（２）を抱合するように裏面に折りたたまれて形成されている。
（ロ）中生地（２）を不繊布で作成する。
（ハ）ネクタイの内部にある中生地（２）の中央部をマスク部（４）とし、マスク部（４）の両側にループ状の耳かけ（５）を設ける。
本発明は以上の構成よりなっているので、建物内で火災に遭遇したときに、ネクタイの裏生地（３）を開いて中生地（２）を取り出し、マスク部（４）を口にあてがい耳かけ（５）を耳に掛けることによりマスク部（４）を口にあてがい耳かけ（５）を耳に掛けることによりマスク部（４）を装着する。
【符号の説明】
【０００８】  ネクタイ（１）、中生地（２）、裏生地（３）、マスク部（４）、耳かけ（５）
【図１】
2011011015.tif 000003
【図２】
2011011015.tif 000004
【図３】
2011011015.tif 000005
【図４】
2011011015.tif 000006
(57)【要約】【課題】  従来、わき腹に付いた脂肪を効果的に燃焼させダイエットする運動器具はなく、通常の腹筋運動をしたとしても、わき腹に付いた脂肪は取り難く、全身のダイエット運動をする必要があり、自宅で手軽にわき腹の腹筋運動をすることができなかった。【解決手段】  強力なコイルバネの両端部にパイプ管を溶接し、その一端部を座イス部分に立てた状態で固定し、もう一端部には表面にクッション材を貼り付けた板とコイルバネを動かすための取っ手を取り付けた構造とする運動器具であり、使用者が本器具をイスの上に置き、コイルバネを固定したパイプ管が股の間に出るように座イス部分に腰をおろし、骨盤を固定した状態で、上体を左右に曲げ運動をする時に負荷を加えた運動が行える構造で、かつ、その機構を簡素化かつ軽量化した運動器具を提供する。【選択図】図１
2011011011.tif 000002
【特許請求の範囲】
【請求項１】
強力なコイルバネの両端部にパイプ管を溶接し、その一端部を座イス部分に立てた状態で固定し、もう一端部には表面にクッション材を貼り付けた板とコイルバネを動かすための取っ手を取り付けた構造とする運動器具。
【発明の詳細な説明】
【技術分野】
【０００１】  本発明は、手軽にわき腹の腹筋運動を行える運動器具に関する。
【背景技術】
【０００２】  従来、わき腹に付いた脂肪を効果的に燃焼させダイエットする運動器具はなかった。
【発明の概要】
【発明が解決しようとする課題】
【０００３】  そのため、通常の腹筋運動をしたとしても、わき腹に付いた脂肪は取り難く、全身のダイエット運動をする必要があり、自宅で手軽にわき腹の腹筋運動をすることができなかった。【０００４】  本発明は、このような問題点を解決したものであり、上体を左右に曲げ運動をする時に負荷を加えた運動が行える構造で、かつ、その機構を簡素化かつ軽量化して手軽にわき腹の腹筋運動を行うことを目的とするものである。
【課題を解決するための手段】
【０００５】  そして、本発明は上記目的を達成するために強力なコイルバネの両端部にパイプ管を溶接し、その一端部を座イス部分に立てた状態で固定し、もう一端部には表面にクッション材を貼り付けた板とコイルバネを動かすための取っ手を取り付ける構造とした。
【発明の効果】
【０００６】  したがって、使用者は取っ手を握り、上半身を使って強力なバネを左右に曲げることにより、わき腹の筋肉を有効に使い脂肪を燃焼させることができる。【０００７】  さらに、器具をコンパクトかつ軽量化しているため、手軽に運動することができる。
【図面の簡単な説明】
【０００８】
【図１】本発明の斜視図
【図２】本発明の使用説明図
【発明を実施するための形態】
【０００９】  以下、本発明の実施の形態を図１および図２に基づいて説明する。
【００１０】  図においては、強力なコイルバネ（１）の両端部にパイプ管（２）を溶接し、その一端部を座イス部分（３）に立てた状態で固定し、もう一端部には表面にクッション材（４）を貼り付けた板（５）とコイルバネを動かすための取っ手（６）を取り付ける。
【００１１】  以下、上記構成の使用方法について説明する。使用者は本器具をイスの上に置き、コイルバネ（１）を固定したパイプ管（２）が股の間に出るように座イス部分（３）に腰をおろし、クッション材（４）を貼り付けた板（５）を胸に当て取っ手（６）を握り、上半身を使って強力なコイルバネを左右に曲げる運動を繰り返す。
【符号の説明】
【００１２】  １は強力なコイルバネ
２はパイプ管
３は座イス部分
４はクッション材
５は板
６は取っ手
【図１】
2011011011.tif 000003
【図２】
2011011011.tif 000004
(57)【要約】      （修正有）【課題】印刷用整版キャリアシートの止棒（ストッパー）とフィルムシートの接合は、剥離しないように接着剤等で強く結合されており、廃版や、フィルムシートの損傷の度に止棒を含めた全て新しい整版キャリアシートが必要とされ、省資源化、廃棄物（ＣＯ２）削減化、コスト削減化に逆行した状態である。【解決手段】止棒ＢとフィルムシートＡを容易に脱着可能にする為、止棒Ｂには、フィルムシートＡとストッパー部Ｅが横から挿入できるように隙間と空洞を施し、又フィルムシートＡの先端部にはストッパーとして用を成す膨らみを施し、横側から挿入し、止めテープで固定する。フィルムシートＡの先端部を止棒Ｂが内側に密着して挿入可能な筒状の空洞を施し、止めテープで固定する。止棒とフィルムシートＡが容易に分離できるので廃版や、フィルム損傷の際、止めテープを外し、フィルムシートＡ部分のみを廃棄し、止棒は、幾度となく再使用が可能となる。【選択図】図２
2011011531.tif 000002
【特許請求の範囲】
【請求項１】
止棒にフィルムシートが横方向から挿入できる極く狭い隙間と、その隙間の先端部にフィルムシートのストッパー部分が横方向から挿入できる円筒状の空洞を設け、フィルムシート側には、先端部がストッパーとして機能する膨らみを施し、横側から止棒の隙間と円筒状の空洞に挿入して、横方向は自在に移動でき、手前方向（縦方向）はストッパー部分の膨らみで、止棒とフィルムシートが分離されない構造の印刷用整版キャリアシート。
【請求項２】
止棒と接合するフィルムシートの先端部に止棒が内側に密着した状態で横方向から挿入できる角形筒状の空洞を設け、止棒を横方向から当該空洞に挿入し、手前方向（縦方向）には止棒とフィルムシートが分離されない構造の印刷用整版キャリアシート。
【発明の詳細な説明】
【技術分野】
【０００１】本発明は、ダンボール等印刷用の印版をレイアウトに従い貼り込み版胴にワンタッチでセットする整版キャリアシートに関するものであり、そのストッパー（止棒）とフィルムシート（貼り込みシート）が容易に脱着、分別できる工夫を加える事により、止棒の再利用が幾度となく可能になり、資源の長期有効利用、ゴミ削減及びコスト削減をもたらすものである。
【背景技術】
【０００２】従来から、整版キャリアシートの止棒とフィルムシートの接合は、止棒の上面とフィルムシートの下面を接着剤等で接合しており剥がし分別する事は困難である。（図１）
【発明の開示】
【発明が解決しようとする課題】
【０００３】しかし、これでは廃版やキャリアシートの損傷の度に、全て新しい整版キャリアシートが必要となり、殆ど劣化や汚れの無い止棒部分も廃棄され省資源化、産業廃棄物削減化、及びコスト削減化に逆行した状態になっている。
【課題を解決する為の手段】
【０００４】この課題を解決する為の請求項１の発明は、止棒とフィルムシートが容易に脱着できるように、止棒には、フィルムシートが横側から挿入できる隙間とストッパー部の空洞を施し、フィルムシートには、先端部に、ストッパー用の膨らみを持たせ止棒の横側から挿入する構造とすることにより横方向の移動は自在となり、手前方向（縦方向）は、ストッパーが機能し、抜けて分離しない構造となる。使用時は止めテープで横方向の移動を制御する。又、止めテープを剥がせば、止棒とフィルムシートを横方向に抜くことにより容易に分別できる。（図２）
【０００５】また、請求項２の発明は、止棒とフィルムシートが容易に脱着できるように、フィルムシートの先端部に止棒が内側に密着した状態で横方向から挿入できる筒状の空洞を設け、横方向から止棒を当該空洞へ挿入し、手前方向（縦方向）には抜けて分離しない構造となる。使用時は、止棒の挿入口となる空洞の左右横側を止めテープで防ぎ横方向の移動を制御する。
又、止めテープを剥がせば容易に止棒とフィルムシートが横方向に抜き分別できる。（図３）
【発明の効果】
【０００６】本発明により、損傷程度の低い止棒部分が、幾度となく再利用可能となり、産業廃棄物削減及びコスト削減となる。
ついては、現代社会の緊急かつ最大課題となっている地球環境問題の観点から一つ一つの消耗品に対して、行き届いてない再利用の意識を変革する絶好の機会ともなる。
【発明を実施する為の最良の形態】
【０００７】本発明に係る整版キャリアシートは、請求項１の場合、止棒としての強度を損わない範囲でフィルムシートの先端部のストッパーの膨らみを横方向から挿入できる空洞とフィルムシートが、横方向に移動可能な隙間を止棒に施し、フィルムシートには、先端部にストッパーとしての用を成す膨らみを施し、手前方向（縦方向）には外れない構造である。（図２）
請求項２の場合、フィルムシートの先端部を断面が長方形の止棒と密着する形で止棒が移動可能になるが手前方向（縦方向）にはフィルムシート同志の接着により外れない構造である。（図３）
素材は、従来と同じ、フィルムシートがペット樹脂、止棒がＡＢＳ樹脂が、環境面からも望ましい。
【産業上の利用可能性】
【０００８】本発明の整版キャリアシートの製造工程は、止棒は押し出し成形等とし、フィルムシートのストッパー部と筒状の空洞部は、加熱成形・折り曲げ加工・接着剤による接着加工等により製造できる。単純な加工技術で量産が可能なものであることから、産業上の利用可能性は、コストの削減、資源の節約に直結する事からも非常に大きい。
【図面の簡単な説明】
【０００９】
【図１】▲１▼従来の一般的な整版キャリアシートの構成である。▲２▼同上止棒部の断面図である。
【図２】請求項１であるストッパー付きのフィルムシートを横方向から止棒に挿入する形態の図である。
【図３】本発明の請求項２であるフィルムシートの筒状空洞部に止棒を横方向から挿入する形態の図である。
【符号の説明】
【００１０】Ａ  フィルムシート
Ｂ  止棒
Ｃ  印版
Ｄ  接着剤等
Ｅ  シートストッパー部
【図１】
2011011531.tif 000003
【図２】
2011011531.tif 000004
【図３】
2011011531.tif 000005
(57)【要約】      （修正有）【課題】参照者が購入・借用物の選択に際して、参照者と選考類似性の高い他者が高い評価を与えている商品を推奨する商品推奨・勧誘システムを提供する。【解決手段】参照者の評価を記録することで該当者の選好をベクトル化し、このベクトルの類似性をもとに参照者と選考類似性の高い評価者を検出し、この類似評価者が好評選択した商品を推奨する。【選択図】図１
2011238194.tif 000002
【特許請求の範囲】
【請求項１】
この考案は参照個人の選好類似性を評価サンプルの選好評価量により採取し、これを多次元ベクトル化し、ベクトル類似性相関値を得る関数を用いて別個人の選好類似性を評価・検索し、選好類似性の高い別個人の選択品目から参照者個人の選択可能性の高い商品を検出・推奨するシステムにかかるものである。
【発明の詳細な説明】
【発明の詳細な説明】
【産業上の利用分野】
【０００１】購入・借用物の選択に際して、専門家もしくは別購入者の評価を参照するシステム
【背景技術】
【０００２】これまで選好類似性を相互的に評価するシステムとしては、参照者と同じ書籍を購入した人が別の書籍を購入していることを紹介する書籍購入補助システムがある。また、一般的に評価が高いか、低いかを評価者全ての評価値の平均で示し、星の数で表示するなどして購買の手がかりとするものは存在する。しかし、参照者に類似の選好を持つ他者の評価が高い商品を選択的に推奨するシステムは存在しない。また、多次元ベクトルの類似性を評価する方式としては、主に画像認識分野において正規化相関式を用いる処理が行われている。（［特許文献１］特許公開２０１０−０７８７３５）しかし、これらを選好類似性の評価に用いた例は無い。
【発明が解決しようとする課題】
【０００３】書籍・音楽媒体を例とする選好性に偏りがある商品を購入・借用する際にも該当商品経験者の評価を単純累積した評価ソフトは一般的に評価の高いものを抽出するので個人の選好の相違が反映されず、無差別に多数者の評価が高いもが推奨される。
【課題を解決するための手段】
【０００４】参照者の評価を記録し、選好をベクトル化して、このベクトルの類似性をもとに参照者と選好類似性の高いの評価者を検索し、この評価者が好評選択した商品を推奨する商品勧誘システムを提供する。
【作用】
【０００５】この事により、個人個人で選好の偏りがある商品について、購入・借用者個人の好みに対し適切に購入・借用物の検索・推奨が出来、勧誘の精度が向上する。
【図面の簡単な説明】
【０００６】
【図１】評価者・参照者の評価品目に対する評価と選好性の相関値
【図２】評価入力処理フロー
【図３】商品推奨処理フロー
【実施例】
【０００７】本考案の実施例を図に従って説明する。【０００８】図１において１から４はサンプル商品（書籍）の名称である。
５は各サンプルに対し、各人Ａ１，Ｂ１，Ｂ２，Ｂ３の評価量を星の数で示したものである。
６はそれぞれの星を１としてそのそれぞれをベクトルの各次元量とするベクトルから正規化相関の式により計算した評価値で、Ａに対し、Ｂ１，Ｂ２，Ｂ３がそれぞれどれだけ似ているかを示している。【０００９】
2011238194.tif 000003
正規化相関の式においてＡは参照者Ａ１のそれぞれの星の数、Ｂは評価者Ｂ１，Ｂ２，Ｂ３のそ
2011238194.tif 000004
隔っている。本例では評価者Ｂ１の評価がもっとも参照者Ａ１に近い。このためＡ１に対しては、Ｂ１が評価する商品を推奨・検索することで満足が得られることが期待できる。【００１０】［図２］に評価入力処理フローを示す。この処理により評価者・参照者の商品データを追加し、この商品に対する評価を記録する。７は本システムを利用する他システムもしくは本システムをサブシステムとして利用する親システムである。これらは例えば商品の販売機能を持ち、商品の選択・検索機能のほか支払い、発送の経過表示などをする。
［図３］に商品推奨処理フローを示す。８は７を入り口とする販売・貸し出システムの出口である。本システムにより検索推奨した商品を参照者が選択すれば販売・貸出システムにＩＤを戻し、これにより課金することも可能である。
【図１】
2011238194.tif 000005
【図２】
2011238194.tif 000006
【手続補正書】
【提出日】平成22年7月11日(2010.7.11)
【手続補正２】
【補正対象書類名】図面
【補正対象項目名】全図
【補正方法】変更
【補正の内容】
【図１】
2011238194.tif 000007
【図２】
2011238194.tif 000008
【図３】
2011238194.tif 000009
(57)【要約】      （修正有）【課題】少量製作でもコスト的に安価で、空気中に熱を素早く伝えることのできるＬＥＤ発熱の放熱用として板金で作る放熱板を提供する。【解決手段】熱伝導率の高い金属として、銅板やアルミの平板を使用し、簡単な金型を用いて折り曲げ加工を行い、放熱面積を広く取れるようにする。これにより、ＬＥＤチップを一定の間隔で貼り付けて、適当な長さのモジュールとすることにより、少量生産可能な色々な形状の照明体とすることができる。【選択図】なし【特許請求の範囲】
【請求項１】
材料として銅版やアルミ板を用いて整形することを特長とし、使用する条件に合わせて寸法を変え、平板を折り曲げるだけで製作可能なＬＥＤ発光発熱用の放熱板。
【請求項２】
放熱板の折り曲げ形状として、（図１）のＡ・Ｂ・Ｃ・Ｄ・Ｅ  に示すような一筆書きの単純な形状を例とし、使用条件に合わせた形に製作できることを特長とするＬＥＤ発光発熱用の放熱板。
【請求項３】
ＬＥＤ発光チツプを何個貼り付けて使用するかによって、放熱板の板を０．５ミリ〜１．０ミリとし、巾と長さを自由に設定して熱伝導性と放熱性を適切に選んで製作できることを特長とするＬＥＤ発光発熱の放熱板。
【発明の詳細な説明】
【技術分野】放熱技術
【背景技術】ＬＥＤが発熱した熱を放熱する為には、その熱を素早く伝えると共に空気中に放熱することが必要である。その為に、できるだけ広い表面積を作ってやることが重要である。その両面から取り組みを行った。
【先行技術文献】
見当たらず
【課題を解決する為の手段】
熱伝導率の高い金属として銅やアルミの平板を使い、簡単な金型を用いて曲げることにより、放熱面積を出来るだけ広く得ると共に、いろいろな形状を考案した。
【発明の効果】
ＬＥＤチップを一定の間隔で貼り付けて、適当な長さを一つのモジュールとすれば、そのモジュールを適当に取り付けると、いろいろな形状の照明体を作ることができる。
【図面の簡単な説明と実施する為の形態】
2011238889.tif 000002
【産業上の利用可能性】１万個以上の製作は必要なく、中小企業会社の門灯や構内灯又は一般家庭の広い庭園等を対象にすると、見た目が良くしかも安価に製作できるＬＥＤ照明の放熱板として利用される可能性が高い。
(57)【要約】      （修正有）【課題】ＬＥＤを用いて検査物の欠点を検査する光源装置において、検査物からの反射によるハレーションを防止する光源装置を提供する。【解決手段】チップ状のＬＥＤ１，２を概９０°の角度を持ったのこぎり状の斜辺に設置し、この斜辺に取り付けられた２個のＬＥＤ間に略２個のＬＥＤ表面に接する大きさのボールレンズ３を固定して、チップ状のＬＥＤからの光束が概４５度の角度でボールレンズを通して照射するように穴の開いた遮光板を配置する。【選択図】図１
2011238577.tif 000002
【特許請求の範囲】
【請求項１】
チップ状のＬＥＤを概９０°の角度を持ったのこぎり状の斜辺に設置し、この斜辺に取り付けられた２個のＬＥＤ間に略２個のＬＥＤ表面に接する大きさのボールレンズを固定して、チップ状のＬＥＤからの光束が概４５度の角度でボールレンズを通して照射するように穴の開いた遮光板を配置してなる光源装置。
【発明の詳細な説明】
【技術分野】
【０００１】  本発明は、チップ状ＬＥＤとボールレンズを組み合わせて効果的に検査物の欠点を検査する光源装置に関するものである。
【背景技術】
【０００２】  従来、欠点検査装置の光源として蛍光ランプなどが主流であったが、近年高照度のＬＥＤが開発され、長寿命、省電力などの利点から蛍光ランプに代わって複数個並べたＬＥＤが光源として採用されるようになってきた。【０００３】  このＬＥＤは、当初レンズとＬＥＤを一体型にした砲弾型のタイプが採用されていたが、検査物の傷などの欠点を見つけるとき、光源は検査物とは通常垂直に向けられて設置されている。砲弾型ＬＥＤの光は放射角が狭く殆ど光はＬＥＤの真上からしか照射せず、検査物からの反射光が真下に反射するためハレーションを起こす。検査物の欠点が大きければ発見できるが、小さな欠点であれば見逃す可能性が高い。そのため、図２に示すようにプリント基板９の上に、概４５度に傾けた砲弾型ＬＥＤ８を左右２列に反対方向に並べ、検査物からの反射光でハレーションを起こさないようにしている。【０００４】  また、図３はチップ状のＬＥＤ１０，１１を使用してＬＥＤをピッチＰで等間隔に複数個配置し、概直径Ｐの大きさのボールレンズ１３を前記チップ状のＬＥＤ１０，１１間に固定し、チップ状のＬＥＤからの光束が概４５度の角度でボールレンズ１３を通して照射する方法で、検査物からの反射光でハレーションを起こさないようにしている。
【発明の開示】
【発明が解決しようとする課題】
【０００５】  図２は、従来から一般に使用されている砲弾型ＬＥＤを左右２列に反対方向に複数個並べ、概４５度に傾けたものを配置した光源装置の一実施例である。この装置では砲弾型ＬＥＤを概４５度に傾けてプリント基板などに取付ける必要があるため、傾きを合わすなどの加工が困難で、また取付けた状態もばらつきが大きく、光の均一性が悪く、２列に並べるため砲弾型ＬＥＤの数量が多くなり高価になる欠点がある。【０００６】  また、チップ状のＬＥＤを使用した図３は、ＬＥＤから出る光束の一部しかボールレンズを通して照射されないため十分な照度が得られない欠点がある。
【課題を解決するための手段】
【０００７】  前記問題点を解決するため、本発明はチップ状のＬＥＤを概９０°の角度を持ったのこぎり状の斜辺に設置し、この斜辺に取り付けられた２個のＬＥＤ間に略２個のＬＥＤ表面に接する大きさのボールレンズを固定して、チップ状のＬＥＤからの光束が概４５度の角度でボールレンズを通して照射するように穴の開いた遮光板を配置した。
【発明の効果】
【０００８】  以上のように本発明によれば、チップ状のＬＥＤを概９０°の角度を持ったのこぎり状の斜辺に設置し、この斜辺に取り付けられた２個のＬＥＤ間に略２個のＬＥＤ表面に接する大きさのボールレンズを固定して、チップ状のＬＥＤからの光束が概４５度の角度でボールレンズを通して照射するようにしたことにより、概４５度の光束を均一に出せるだけではなく、ＬＥＤ中央部から出る光束を使うことで十分な照度が得られる。
【発明を実施するための最良の形態】
【０００９】  以下、図面に基づき本発明の実施の形態を説明する。【００１０】  図１は、本発明の実施例を示す光源装置の説明図である。【００１１】  この光源装置は、９０°の角度を持ったのこぎり状の放熱用金属板６の上に設置されるプリント基板４および５と、前記プリント基板に取付けられるチップ状ＬＥＤ１，２とボールレンズ３及びＬＥＤ１，２の光の遮光部７ａと光放出穴７ｂから形成される遮光板７からなる。当然光源装置の長さが長くなればチップ状ＬＥＤ及びボールレンズの数量は多くなる。【００１２】  チップ状ＬＥＤ１，２は、のこぎり状の放熱用金属板６の上に設置されたプリント基板４および５に取り付けられ、ＬＥＤ１および２の上部にはＬＥＤ１および２の中央部に略接するようボールレンズ３が固定されている。遮光板７は、チップ状ＬＥＤからの光束がボールレンズを通して概４５度で照射できるように光放出穴７ｂがあいており、ボールレンズを通しての光束しか出ないようにボールレンズの上端に取付けられている。【００１３】  以上のような構成により、本実施例ではハレーションの発生しない概４５度の均一な照射光が得られ、また、ＬＥＤ中央部から出る光束をボールレンズを通して照射されるため十分な照度が得られる。
【図面の簡単な説明】
【００１４】
【図１】本発明の実施例を示す光源装置の説明図。
【図２】従来の実施例を示す光源装置の説明図。
【図３】従来の実施例を示す他の光源装置の説明図。
【符号の説明】
【００１５】１，２・・・チップ状ＬＥＤ
３・・・ボールレンズ
４、５・・・プリント基板
６・・・略９０°の角度を持つのこぎり状の放熱板
７・・・遮光板
７ａ・・・遮光板７の遮光部
７ｂ・・・遮光板７の光放出穴
８・・・砲弾型のＬＥＤ
９・・・プリント基板
１０、１１・・・チップ状ＬＥＤ
１２・・・プリント基板
１３・・・ボールレンズ
１４・・・遮光板
【図１】
2011238577.tif 000003
【図２】
2011238577.tif 000004
【図３】
2011238577.tif 000005
(57)【要約】【課題】プラグの差し込み口や電源タップに差し込んであるプラグがどの電化製品のものか、コードを探り当てて判別する必要がありどの機器のものかを覚えなければならずどのコードを抜いていいのか、どのタップの電源を切っていいのかと迷っており不便であった。本発明はコンセントのプラグを見分けるための札を提供する。【解決手段】長方形の名称を書き込むラベル（１）の周囲に色の枠（２）を設け、その下部に長方形状穴（３）にコの字（４）浮かせ先端をくの字（５）に曲げた板を設ける。【選択図】図３
2011238576.tif 000002
【特許請求の範囲】
【請求項１】
長方形の名称を書き込めるラベル（１）の周囲に色の枠（２）を設け、その下部には長方形状穴を設けコの字（３）に浮かせ、その先端部分をくの字（５）にした板を設けることを特徴とするコンセント見分け札。
【発明の詳細な説明】
【技術分野】
【０００１】本発明はコンセントのコードを見分ける札に関するものである。
【背景技術】
【０００２】従来、家電製品の電源コードはどれも黒色であり多数のコンセントプラグがタップに差してあるとき、どのプラグがどの家電製品か区別が付かず、見分ける必要があった。
なお、プラグの差し込み口を装着し名称を書き入れるプラグカバーがあった。（特許文献１参照）
【先行技術文献】
【０００３】
【特許文献１】  特開２００９−２１２０７０号公報
【発明の開示】
【発明が解決しようとする課題】
【０００４】そのため次のような問題点があった。
プラグの差し込み口や電源タップに差し込んであるプラグがどの電化製品のものかコードを探り当てて判別する必要がありどの機器のものかを覚えなければならずコードを抜いていいのか、どのタップの電源を切っていいのかと迷っており不便であった。
本発明は、以上の問題点を解決するためになされたものである。
【課題を解決するための手段】
【０００５】長方形の名称を書き込める  ラベル（１）の周囲に  色の枠（２）を設け、その下部に中央部分の一辺を残し  長方形の穴（３）にを設け、コの字（４）浮かせ、先端部分を  くの字（５）に曲げた板を設けた。
以上を特徴とするコンセント見分け札である。
【発明の効果】
【０００６】従来、コンセントのプラグがどの電化製品のプラグか、探り当てなければならなかったが、本発明により、名称のついたラベル１によりコンセントプラグの判別が容易になり、コード挟み具２で簡単に取り付けられるようになりわかりやすくなった。
【図面の簡単な説明】
【０００７】
【図１】本発明の斜視図である。
【図２】本発明の断面図である。
【図３】本発明の使用状態を示す斜視図である。
【発明を実施するための最良の形態】
【０００８】  以下、本発明の実施の形態を説明する。
（イ）名称を書き込むラベル  ラベル  （１）    色の枠  （２）を設ける。
（ロ）コード挟み具  長方形の穴  （３）コの字  （４）に、くの字の返し  （５）を設ける
本発明は以下のような構造である。
本発明は（イ）の下部分に（ロ）をつけたものである。
本発明を使用するときは、（イ）の  ラベル（１）に製品名を書き込み  （ロ）の部分をコンセントのコードに押し当てるように装着して  くの字の返し、（５）の部分でコードから抜けることを防止する。
【符号の説明】
【０００９】      １  ラベル、
２  色の枠、
３  ４  ５  挟み具、
【図１】
2011238576.tif 000003
【図２】
2011238576.tif 000004
【図３】
2011238576.tif 000005
(57)【要約】【課題】  既存の衣料品に関するレンタルサービスではそのレンタル商品の種類が少なかったり、時期的な特色があったりと限定的である。またその料金。これにより利用できる消費者も限定的であった。【解決手段】  メーカーに「市場調査」というメリットを与えるかわりに、レンタル会社は割安で商品を提供してもらいそれにより消費者にも低価格でレンタルサービスを提供しやすくなる。またこのメーカ側のメリットによりメーカー側も参加しやすくなり商品のバリエーションも増やす事が出来る。本発明は限定的なレンタルシステムを概括的にするシステムを提供する。【選択図】図１
2011238039.tif 000002
【特許請求の範囲】
【請求項１】
レンタル・販売共に、またアパレルに限らずメーカー側にメリット（市場調査・マーケティング・情報収集など）を持たすことによってより多くのメーカーからたくさんの種類の商品を集めやすく、またより安くもしくは無償で商品を仕入れやすくするこのシステム
【請求項２】
さまざまな種類のアパレル商品をとりそろえ、さまざまな消費者に気軽に日常的に利用してもらうという開けたレンタルサービス
【請求項３】
通信販売における試着・試用が出来ないというリスクを軽減するこのレンタルシステム
【請求項４】
低価格での消費者への提供を可能とするこのレンタルシステム
【発明の詳細な説明】
【技術分野】
【０００１】
本発明は衣料品のひらけたレンタルと仕入れコストを抑えるシステム
【背景技術】
【０００２】
従来、貸し衣装やブランドバック・アクセサリーのレンタルはあった。
【発明の概要】
【発明が解決しようとする課題】
【０００３】
以上に述べた従来のレンタルサービスではレンタルしている商品の種類や、特定の時期に利用されるなど内容的に限られているサービスであった。
【０００４】
貸し衣装は主にパーティー用のドレスであったり冠婚葬祭時におけるフォーマルウエアであったり、冠婚葬祭時に利用されるなど時期的および種類の狭さがあり、バックアクセサリーに関しては女性向けの特色が強く、限定的であり、衣類のレンタルではない。
【０００５】
またそのレンタル価格
【０００６】
本発明はこのような限定的で狭いレンタルサービス・および料金を解決しようとするものであり、もっと広くよりいろいろな人たちに手軽にたくさんの種類のアパレルを日常的に楽しんで頂けるようにする事を目的とする。
【課題を解決するための手段】
【０００７】
そしてその上記目的を達成するにあたりその手段について以下図を交え説明する。
図１参照。
【０００８】
まず構図としてアパレルメーカー、消費者がいる。その間にレンタルを実施するもの（以下レンタル会社とよぶ）がある。
【０００９】
まずメーカーが衣料品をこのレンタル会社に割安もしくは無償で提供する。レンタル会社はそれを実店舗もしくはＩＴを使い消費者に貸出する。この際にお客様より身長・体重・職業・年齢・住まいの地域・好きなブランド・よく利用しているブランドなど（アンケート内容は各メーカーの要望による）のアンケートを答えて頂く（ＩＴを利用した場合はアンケートを答えないと注文できないようなシステムにすることでアンケートを確実に集める事ができる）。その後お客様に利用して頂き返却の際に感想（着心地や使いやすさなど）を答えて頂く。
【００１０】
これらの消費者より頂いたデータをレンタル会社がとりまとめ、メーカーに提供する。
【００１１】
これによりメーカーはコストをなるべく抑えて市場調査ができ、よりよい商品開発などに結び付く。このメリットをメーカー側に与える事でレンタル会社はたくさんの種類の商品を集めやすくなり、また仕入れコストを抑え安価での商品提供が可能となる。
【００１２】
以下「メーカー」、「レンタル会社」、「消費者」それぞれにおける現時点での考えうるメリットをまとめる。
【００１３】
メーカー；低コストで市場調査が可能。このシステムを市場調査ツールとして利用できる。実際のユーザーの声を聞けることにより商品開発のヒントになる。またレンタルという事によりそのお手軽感から今までそのメーカーを利用していなかった消費者にも利用されることになり、新たな客層にもアプローチができる。
【００１４】
レンタル会社；このシステムをとりまとめる事により収益を上げる事ができ、衣料品を従来の仕入れとして買う必要がない為、実施にあたり比較的初期費用を低く抑える事ができる。
【００１５】
消費者；今まで着てみたかったが高くて手が出せなかったようなメーカーのものも気軽に楽しめる。いろいろな種類の衣料品をレンタルする事により自己のファッションの幅も広がる（たとえばこんなファッションも自分には似合うんだなど）。また久々の帰省などの時にも気軽におしゃれができる。また通販で高価なメーカーの服を注文する場合は試着ができない。この時にこのシステムを利用すればその問題点も解決できる。
【発明の効果】
【００１６】
このシステムにより、より多くのメーカーから様々な種類の商品を集めやすくなり今までの限定的であったレンタル内容を広げる事ができ、消費者はお手軽にまた低価格でさまざまなファッションを楽しむ事ができる。
【００１７】
高価なメーカーの商品をネット販売で購入する場合試着ができないのでリスクが高い。この時にこのレンタルを利用すればリスクも軽減できる。
【００１８】
また消費者はファッションに幅が広がる事でより購買意欲があがりその結果アパレル業界全体の活性化にもつながる。
【発明を実施するための形態】
【００１９】
購入するか借りるかの違いだけなので既存のアパレルネット販売のシステム（画像で商品を確認し購入する）をほぼそのまま流用できる。
【００２０】
消費者は画像で商品を確認し購入ではなくレンタル注文する。この際にアンケートに答えて頂く（このアンケートシステムは構築する必要がある）。レンタル会社は注文をうけて商品を消費者に配送する。消費者は受け取り、利用し返却する（配送はコンビニでもどこでもできる）。また返却する際に利用した感想なりコメントを答えて頂く。
【００２１】
レンタル会社は返送された商品の管理を行うと共にアンケートデータをとりまとめメーカーに提供する。
【００２２】
実店舗においても同じく貸出の際にアンケートに答えて頂き、返却の際には利用した感想などを答えて頂く。そして取りまとめメーカーに提供する。
【図面の簡単な説明】
【００２３】
【図１】全体図
【図１】
2011238039.tif 000003
(57)【要約】      （修正有）【課題】社外で働くサービス業の作業担当が必要とする情報が含まれた作業予定を簡単に作成管理と伝達できる手段を提供し、且つ各作業の進捗確認と勤怠集計を簡単に行える仕組みを提供する。【解決手段】予定管理システムを、作業に関わるチーム構成、作業現場、作業内容及び作業道具等の情報をセットで管理する「作業を中心」のものに変更し、該当作業に関わる作業担当全員の携帯に自動配信。予定変更が発生した場合、変更前後の情報セットを関係の作業担当に再配信。これにより紙での予定配布を無くし、連絡ミスも低減できる。また作業担当は携帯から各作業に対して出退勤を打刻し、そのデータを利用することで月末の勤怠集計時間を節約できる。【選択図】図１
2011243173.tif 000002
【特許請求の範囲】
【請求項１】
作業予定作成と管理システムにおいて
当該システムは人（作業担当）と予定時間以外に、作業現場、作業項目と作業道具等社外で働く作業担当が必要とする情報をセットで管理でき、またその情報を該当作業に関係する作業担当の携帯に配信できることを特徴とする作業予定作成と管理システムである。
【請求項２】
請求項１の作業予定作成と管理システムにおいて
当該システムで作成した作業予定に含まれる情報が変更された場合、その変更前と変更後の情報を該当作業に関係する作業担当の携帯に配信できることを特徴とする作業予定作成と管理システムである。
【請求項３】
請求項１の作業予定作成と管理システムにおいて
該当システムで作成した作業予定のＵＲＬリンクは作業予定情報と一緒に作業担当の携帯に配信され、作業担当はＵＲＬリンクを開くことで出退勤の打刻ができ、打刻した時間はシステムに保存されることを特徴とする作業予定作成と管理システムである。
【請求項４】
請求項１の作業予定作成と管理システムにおいて
当該システムで作成した作業予定の開始予定時間、終了予定時間、作業担当者が打刻した出勤時間、退勤時間を基づいて、各作業は開始時間未到達、開始遅延、進行中、作業完了等の進捗情報を一覧できる。
【発明の詳細な説明】
【技術分野】
【０００１】本発明は作業予定作成と管理するシステム、その装置、その方法及びプログラムに関する。
【背景技術】
【０００２】  従来の予定管理グループウェアとしてロータスノーツ、サイボウズ等「人を中心とする」時間を管理するソフトウェアが知られている。【０００３】  また上記グループウェアで対応しきれない予定管理要件に対応するには、ワードやＥＸＣＥＬ等のデスクトップアプリケーションを使うことは一般的である。
【発明の概要】
【発明が解決しようとする課題】
【０００４】  建物や設備等の保守を行うメンテナンス作業等のサービス業務において、作業担当は直行直帰で勤務し、一日複数の現場で作業を行うことは一般的である。上記の作業担当にとっては個人の時間配分は勿論、チーム構成、作業現場、作業項目及び作業車両等の情報を含まれた作業予定を必要としている。これに対して現在市販のグループウェアは人と時間以外の情報を管理できないとの課題があった。その為、ＥＸＣＥＬやワード等で作業担当の予定を作成し各作業担当に紙で配布することが一般的であるが、予定作成作業の効率が悪く、予定変更が発生した場合に、事務員は関係者全員に電話で連絡するといった、非効率的でミスが発生しやすい手段を用いざるを得ないという問題があった。【０００５】  また本部から各作業の進捗を確認できず、月末に作業担当が提出した勤怠を手作業で集計と確認に時間がかかるとの問題もあった。【０００６】  本発明は社外で働くサービス業の作業担当が必要とする情報が含まれた作業予定を簡単に作成管理と伝達できる手段を提供し、且つ各作業の進捗確認と勤怠集計を簡単に行える仕組みを提供することを目的とする。
【課題を解決するための手段】
【０００７】  本発明は上記課題を解決するために、社外で働く従業員は必要とする情報が含まれた作業予定を簡単に作成変更と伝達し、且つ本部担当は各作業の進捗確認と月末の勤怠集計を簡単に行えるシステムを開発したものである。【０００８】  課題１を解決するため、図１のように本部担当はインターネットブラウザを利用しネットワークを通して作業予定を作成する。作業時間、チーム構成、作業現場、作業項目及び作業道具等の情報を含めた作業予定を作成し、作業に関係する作業担当の携帯に自動配信できるようにしたものです。また作業予定に変更が発生した場合、変更前後の作業予定情報を該当作業に関係する作業担当に簡単に配信でき、連絡ミスを低減できることにしたものである。【０００９】  課題２を解決するため、図２のように作業担当は作業予定と共に受信した作業情報ＵＲＬを開くことで各自の携帯から出退勤の打刻をでき、打刻した情報は即時にサーバに転送されるようにしたものである。これによって図３のように本部担当は各作業の進捗情報は瞬時に確認でき、また図４のように月末の出退勤集計と確認作業の手間を省くことを実現できるようにしたものである。
【発明の効果】
【００１０】  上述したように本発明は現在市販のグループウェアで管理できない社外で働くサービス業の作業担当の作業予定を簡単に作成変更と伝達でき、事務員の予定作成管理時間を大幅に短縮できるとともに連絡にミスと電話通信費を低減することができる。【００１１】また会社の本部に全社の作業進捗を簡単に確認する手段を提供し、勤怠集計と確認の時間を大幅に削減できる。【００１２】  上記の効果によって、本システムを利用することで従業員が外部で働くサービス業の間接業務生産性の向上と間接業務費用の削減を実現できる。
【図面の簡単な説明】
【００１３】
【図１】  作業担当の予定を作成と配信を示す概念図
【図２】  作業担当が携帯から出退勤を打刻する画面
【図３】  本部が全社予定一覧と作業進捗の確認する画面
【図４】  本部が全社勤怠情報一覧の確認する画面
【発明を実施するための形態】
【００１４】  本発明は実施する手段として、図１が示したようにサーバＡ、ＰＣ端末Ｂ、携帯端末Ｃからなるシステムを構成する。サーバＡはリレーショナルデータベース、ＳＭＴＰメールサービス、ＷＥＢサービスから構成される。また、リレーショナルデータベースには、従業員情報、顧客情報、現場情報及び作業項目からなる基本情報のテーブルと、各作業の時間、作業現場、チーム構成する作業担当、該当作業の作業項目からなる作業情報テーブルと、作業担当は各作業に対して打刻した出退勤の時間を記録した勤怠実績テーブルから構成される。
【００１５】  ＰＣ端末Ｂは事務員に対して基本情報の登録、作業予定の作成変更等に必要なデータ入力手段を提供する。ＰＣ端末Ｂで作成された作業予定情報はサーバＡのＳＭＴＰサービスを通して携帯端末Ｃに配信される。
携帯端末Ｃは、各作業担当が自分と関連する作業予定の情報を受信する手段、及び該当作業を実際に実行した時に出勤と退勤時間を打刻する手段を提供する。
【００１６】  また、本部はインターネットブラウザを利用しネットワークを通して各作業の進捗状況を確認でき、各作業担当が打刻した出退勤情報を確認できる。
【図１】
2011243173.tif 000003
【図２】
2011243173.tif 000004
【図３】
2011243173.tif 000005
【図４】
2011243173.tif 000006
(57)【要約】【課題】  押し込み犯罪に遭遇した場合、身を守る為に玄関周辺に設置した警報音を鳴らすしくみの押し込み犯罪抑制防犯機器を提供する。【解決手段】押し込み犯罪に遭遇した場合、本発明は犯行犯と入口付近で、もみ合いになった場合、押し込み犯罪抑制防犯機器（１）を倒す、又は非常時は蹴り倒すことにより底面に設けたリミットセンサー（２）が外れ、警報音ブザー（３）を鳴らす押し込み犯罪抑制防犯機器を特徴とする。【選択図】図１
2011243175.tif 000002
【特許請求の範囲】
【請求項１】
（イ）押し込み犯罪抑制機器（１）の底面にリミットセンサー（２）を設ける。
（ロ）リミットセンサー（２）は１個又は複数設置する。
（ハ）リミットセンサー（２）が外れることによりブザー（３）が警報音を発生する。
（ニ）電源スイッチ（ＯＮ・ＯＦＦ）は（４）である。
（ホ）電源配給は電池（６）とする。
以上の構成よりなる押し込み犯罪抑制防犯機器。
【発明の詳細な説明】
【技術分野】
【０００１】この発明は、帰宅時に狙われる押し込み犯罪に遭遇した場合、玄関周辺に設置し、警報音を鳴らせるしくみの押し込み犯罪抑制防犯機器に関するものである。
【背景技術】
【０００２】
【発明の概要】
【発明が解決しようとする課題】
【０００３】帰宅直後を狙った押し込み犯罪に対し、恐怖で声が出せなかったり、背後から押え込まれたりと、何も抵抗出来ない状況に対し、今まで得策な抵抗手段や、周囲に知らせる手段が無かった。本発明は、押し込み犯罪から身を守る対抗手段として非常に有効な防犯機器である。
【課題を解決するための手段】
【０００４】押し込み犯罪に遭遇した場合、本発明は犯行犯と入口付近で、もみ合いになった場合、押し込み犯罪抑制防犯機器（１）を倒す、又は非常時は蹴り倒すことにより底面に設けたリミットセンサー（２）が外れ、警報音ブザー（３）を鳴らす。
本発明は、以上の構成からなる押し込み犯罪抑制防犯機器である。
【発明の効果】
【０００５】玄関周辺に、どこの家庭にもありそうな、傘立てや、靴箱の底面にセンサーを設置し倒すことにより、警報音を鳴らし周囲に知らせる事が出来る。また、景観を気にすることなく生活環境に取り入れ、設置する事ができる。このように設置するだけで、犯罪抑止の効果が得られる。
【発明を実施するための最良の形態】
【０００６】以下、本発明を実施するための形態について説明する。
本発明は、靴箱や傘立てに組み込んだ製品として提供する。
押し込み犯罪抑制機器（１）の底面にリミットセンサー（２）を設ける。
リミットセンサー（２）は１個又は複数設置する。
リミットセンサー（２）が外れることによりブザー（３）が警報音を発生する。
電源スイッチ（ＯＮ・ＯＦＦ）は（４）である。
押し込み犯罪抑制機器（１）を一時的に移動したい場合は、電源を切る。
また、より上位の仕様としては、リミットセンサー（２）が外れタイマー設定時間、警報音が鳴り続け、警報音を止める手段は、容易に操作出来ないリセットボタン（５）を設ける。電池が減ったら知らせる機能を持つ。本発明は、以上のような構造である。これを使用する時は、非常時に倒すだけでよい。
【図面の簡単な説明】
【０００７】
【図１】本発明の斜視図である。
【図２】本発明の下面図である。
【符号の説明】
【０００８】１  押し込み犯罪抑制防犯機器
２  リミットセンサー
３  ブザー
４  電源スイッチ
５  リセットボタン
６  電池
【図１】
2011243175.tif 000003
【図２】
2011243175.tif 000004